(57)【要約】【課題】  分割フロアの接続部の端部から外部への水漏れを防止し、止水性を向上させることができる分割フロアの接続構造を提供すること。【解決手段】  浴槽フロア１０ａの壁部１１ａに係合溝部２２を設け、洗い場フロア１０ｂの壁部１４ａに係合縁部２６を設けた。そして、係合溝部２２と係合縁部２６とを係合させることによりフロア１０を形成した。また、浴槽フロア１０ａの壁部１１ａにおける長手方向の端部に、係合溝部２２と連通する水流入部２４を設けるとともに、壁部１１ａに、水流入部２４から浴槽フロア１０ａの床上面に通じる排出通路２５を設けた。係合溝部２２の溝底部２２ｂの高さは水流入部２４の底面部２４ａの高さよりも高くした。また、排出通路２５を、水流入部２４から浴槽フロア１０ａの床上面側に掛けて下り傾斜に形成した。【選択図】  図２
2005299131.tif 000002
【特許請求の範囲】
【請求項１】
周縁部の所定部分に壁部が形成された複数の分割フロアの対向する壁部どうしまたは縁部どうしを接続することによって床面を形成する分割フロアの接続構造であって、前記壁部どうしが接続される二つの分割フロアのうちの一方の分割フロアの壁部における長手方向の端部に、水流入部を設けるとともに、前記一方の分割フロアの壁部に、前記水流入部から前記一方の分割フロアの床上面に通じる排出通路を設けたことを特徴とする分割フロアの接続構造。
【請求項２】
前記一方の分割フロアにおける壁部の上端部にその壁部の長手方向に沿った係合溝部を設けるとともに、他方の分割フロアにおける壁部の上端部にその壁部の長手方向に沿った係合縁部を設け、前記係合溝部に前記係合縁部を係合させることにより前記両壁部を接続し、前記係合溝部の底面の高さを前記水流入部の底面の高さと同じか、またはそれよりも高くした状態で、前記係合溝部を前記水流入部に連通させた請求項１に記載の分割フロアの接続構造。
【請求項３】
前記係合溝部と前記係合縁部とを係合させて形成される接続部の隙間にシール材を取り付けた請求項２に記載の分割フロアの接続構造。
【請求項４】
前記排出通路を、前記水流入部から前記一方の分割フロアの床上面側に掛けて下り傾斜になるように形成した請求項１ないし３のうちのいずれか一つに記載の分割フロアの接続構造。
【請求項５】
前記水流入部の周壁部の一部を前記二つの分割フロアのうちの他方の分割フロアの壁部で構成し、前記水流入部内における前記水流入部の壁部と前記他方の分割フロアの壁部との境界部近傍に、前記境界部に水が浸入することを防止するためのシール部または遮蔽部を設けた請求項１ないし４のうちのいずれか一つに記載の分割フロアの接続構造。
【発明の詳細な説明】
【技術分野】
【０００１】
本発明は、浴室ユニット等の床面に用いられる分割フロアの接続構造に関する。
【背景技術】
【０００２】
従来から、浴室ユニット等においては、複数の分割フロアを組み付けて接続することにより床面を構成する分割フロアの接続構造が用いられている（例えば、特許文献１参照）。この分割フロアの接続構造は、浴槽設置用の床面を構成する床パンと、洗い場部の床面を構成する床パンとからなる複数の分割フロアの各対向する縁部の間にシール材を設置した状態で両縁部を重ね合わせて、ビスで締め付けることにより各分割フロアを接続している。
【特許文献１】特開平８−１２０７２４号公報
【発明の開示】
【０００３】
しかしながら、前述した従来の分割フロアの接続構造では、各分割フロアの縁部間に設置されるシール材が消耗したり劣化したりした場合や、各分割フロアの成形精度、組立精度によっては漏水が発生してしまう場合がある。この場合、構造上、各分割フロアの接続部の端部から外部への漏水が生じやすく、この部分での止水性を十分に確保することが難しいという問題がある。
【０００４】
本発明は、前述した問題に対処するためになされたもので、その目的は、分割フロアの接続部の端部から外部への水漏れを防止し、止水性を向上させることができる分割フロアの接続構造を提供することである。
【０００５】
前述した目的を達成するため、本発明にかかる分割フロアの接続構造の構成上の特徴は、周縁部の所定部分に壁部が形成された複数の分割フロアの対向する壁部どうしまたは縁部どうしを接続することによって床面を形成する分割フロアの接続構造であって、壁部どうしが接続される二つの分割フロアのうちの一方の分割フロアの壁部における長手方向の端部に、水流入部を設けるとともに、一方の分割フロアの壁部に、水流入部から一方の分割フロアの床上面に通じる排出通路を設けたことにある。
【０００６】
前述したように構成した本発明の分割フロアの接続構造では、壁部どうしを接続することにより組み付けられる二つの分割フロアの一方の分割フロアの壁部の長手方向の端部に、水流入部を設けて、二つの分割フロアの接続部の端部に流れてくる水を水流入部内に一旦集めるようにしている。さらに、一方の分割フロアの壁部に、水流入部から一方の分割フロアの床上面に通じる排出通路を設けて水流入部に入った水を分割フロアの床上面に排出させるようにしている。この場合の排出通路は、溝部で構成してもよいし、壁部を貫通する孔で構成してもよい。また、水流入部の形状は種々の形状にすることができるが、例えば、上面が開口した升状等にすることができる。
【０００７】
また、水流入部から分割フロアの床上面に排出された水は、分割フロアに設けられた排水口から所定の排水路に流され外部に排出される。これによって、二つの分割フロアの接続部の端部から外部に水が漏れてしまうといったことがなくなり、分割フロアの接続構造の止水性を向上させることができる。
【０００８】
すなわち、この分割フロアの接続構造は、周縁部に壁部が形成された２個の分割フロアの対向する壁部の接続部の端部、または周縁部の所定部分に壁部が形成された３個以上の分割フロアのうちの２個の分割フロアの対向する壁部の接続部の端部から外部に水が漏れることを防止するためのものである。このような分割フロアの接続構造では、二つの分割フロアの接続部の端部から外部に水が漏れてしまうことが問題になる。本発明はこのような問題を回避するために、接続部の端部から外部に漏れる水を一旦水流入部に集めたのちに、排水通路を介して分割フロアの床上面に排出させるものである。
【０００９】
また、本発明にかかる分割フロアの接続構造の他の構成上の特徴は、一方の分割フロアにおける壁部の上端部にその壁部の長手方向に沿った係合溝部を設けるとともに、他方の分割フロアにおける壁部の上端部にその壁部の長手方向に沿った係合縁部を設け、係合溝部に係合縁部を係合させることにより両壁部を接続し、係合溝部の底面の高さを水流入部の底面の高さと同じか、またはそれよりも高くした状態で、係合溝部を水流入部に連通させたことにある。
【００１０】
これによると、壁部どうしの接続部の端部だけでなく、接続部の中央側部分で、外部に向って漏れようとする水も係合溝部を伝わせて水流入部内に入れることができる。また、係合溝部に入る水は水流入部および排出通路を介して分割フロアの床上面に排出されるため、係合溝部と係合縁部との係合部（接続部）を特に防水構造を考慮しない簡単な構造にしても、水が外部に漏れることがなくなる。すなわち、水は係合溝部に沿って端部側に流れ水流入部内に落下するか、または水流入部内に流れていく。このため、係合溝部や係合縁部の設計が簡単になるとともに低コスト化が図れるようになる。
【００１１】
また、本発明にかかる分割フロアの接続構造のさらに他の構成上の特徴は、係合溝部と係合縁部とを係合させて形成される接続部の隙間にシール材を取り付けたことにある。これによると、係合溝部内に水が入ることが防止されるため、接続部の中央側部分から水が漏れることをさらに確実に防止することができる。この場合、シール材は、排出通路を塞がないようにして設ける。また、係合溝部と係合縁部とを係合させて形成される接続部以外にも二つの分割フロアが接合される部分があれば、その部分にもシール材を設けることが好ましい。
【００１２】
また、本発明にかかる分割フロアの接続構造のさらに他の構成上の特徴は、排出通路を、水流入部から一方の分割フロアの床上面側に掛けて下り傾斜になるように形成したことにある。これによると、水流入部に入った水がスムーズに分割フロアの床上面側に流れるようになる。このため、水が水流入部に入るとすぐに分割フロアの床上面側に流れ、水流入部内に溜まることがないため、溜まった水で水流入部が汚れることが生じない。
【００１３】
本発明にかかる分割フロアの接続構造のさらに他の構成上の特徴は、水流入部の周壁部の一部を二つの分割フロアのうちの他方の分割フロアの壁部で構成し、水流入部内における水流入部の壁部と他方の分割フロアの壁部との境界部近傍に、境界部に水が浸入することを防止するためのシール部または遮蔽部を設けたことにある。
【００１４】
これによると、一方の分割フロアに形成された水流入部を構成する壁部と、他の分割フロアの壁部との境界部側に水が入り難くなるため、さらに外部への水漏れがなくなる。すなわち、通常、水が外部に漏れるのは、水が一方の分割フロアと他方の分割フロアとの接合部を通過して外部に出る場合が多い。この発明では、水流入部内における水流入部の壁部と他方の分割フロアの壁部との境界部近傍に、シール部または遮蔽部を設けることにより、境界部近傍に浸入しようとする水を水流入部に落下させるようにしている。これによって、水漏れをさらに確実に防止できる。
【発明を実施するための最良の形態】
【００１５】
（第１実施形態）
以下、本発明の第１実施形態を図面を用いて説明する。図１は、同実施形態にかかる分割フロアの接続構造２０を備えたフロア１０を示しており、このフロア１０は、浴槽フロア１０ａと洗い場フロア１０ｂとを接続して構成されている。浴槽フロア１０ａは、浴槽（図示せず）を設置するためのフロアであり、周縁部に形成された周壁部１１が高く設定された深い防水パンで構成されている。
【００１６】
そして、浴槽フロア１０ａの底面部上面の四隅には、浴槽を置くための設置部１２が設けられ、浴槽フロア１０ａの底面部の一方の端部には底面部を上下に貫通する排水口（図示せず）が設けられている。この排水口の下端部は、フロア１０の下方に設けられた排水路（図示せず）に接続されて、浴槽フロア１０ａ内に溜まる水を排水路に排出する。また、浴槽フロア１０ａの底面部下面の各角部近傍には、浴槽フロア１０ａおよび浴槽を支持するとともに、浴槽フロア１０ａの高さ調整を行うための支脚１３が設けられている。
【００１７】
洗い場フロア１０ｂは、周縁部に形成された周壁部１４が低く設定された浅い防水パンで構成されており、底面部の一方の端部に、下端部が前述した排水路に接続された排水口１５が設けられている。また、洗い場フロア１０ｂの底面部下面の各角部近傍には、洗い場フロア１０ｂを支持するとともに、洗い場フロア１０ｂの高さ調整を行うための支脚１６が設けられている。そして、浴槽フロア１０ａと洗い場フロア１０ｂとは、対向する縁部どうしを接続され、接続構造２０は、浴槽フロア１０ａと洗い場フロア１０ｂとの接続部１７における両端部に設けられている。このうち、図１の二点鎖線Ａで囲った部分に位置する接続構造２０を図２に示している。
【００１８】
図２は、図３に示した浴槽フロア１０ａの周壁部１１と、図４に示した洗い場フロア１０ｂの周壁部１４との対向する縁部どうし（壁部１１ａと壁部１４ａ）を組み付けて接続した状態を示している。図３に示したように、浴槽フロア１０ａの周壁部１１における洗い場フロア１０ｂ側の壁部１１ａの上端面部２１ａの縁部には、係合溝部２２が壁部１１ａの長手方向に沿って形成されている。この係合溝部２２は、断面形状が四角枠状の上方を開放した形状に形成されており、壁部１１ａの上面縁部から下方に延びた連結側部２２ａと、連結側部２２ａの下端縁部から前方（洗い場フロア１０ｂ側）に突出して水平方向に延びた溝底部２２ｂと、溝底部２２ｂの縁部から上方に延びた係合側部２２ｃとで構成されている。
【００１９】
そして、係合側部２２ｃの上端縁部は、連結側部２２ａの上端縁部（上端面部２１ａ）よりもやや低い位置になるように設定されている。また、周壁部１１における壁部１１ａ以外の部分の上端面部２１の外側縁部には、上方に向かって突出した係合片２３が周壁部１１の長手方向に沿って設けられている。この係合片２３は、浴槽フロア１０ａの周囲に壁パネル（図示せず）を取り付けるときの壁パネル取付部として設けられている。
【００２０】
そして、係合溝部２２の長手方向の端部側に、水流入部２４が浴槽フロア１０ａと一体的に形成されている。この水流入部２４は、上面が開口した平面視が四角形の箱状に形成されており、洗い場フロア１０ｂ側に向って突出している。また、水流入部２４の一部は浴槽フロア１０ａにおける係合溝部２２の延長線上の外部に向って突出している。また、水流入部２４の底面部２４ａの高さは、係合溝部２２の溝底部２２ｂの高さよりも低くなるように設定されている。そして、水流入部２４の上端縁部の高さは、フロア１０の内部側に位置する部分が係合側部２２ｃの上端縁部の高さと同一に設定され、フロア１０の外部側に突出した部分が係合片２３の上端縁部高さと同一に設定されている。
【００２１】
また、水流入部２４における係合溝部２２と平行する側面部２４ｂ，２４ｃはともにＬ形に形成されているが、側面部２４ｃの上部側の幅の狭い部分の幅は、側面部２４ｂの上部側の幅の狭い部分の幅よりもやや小さく設定されている。そして、壁部１１ａの端部側部分の上部に、水流入部２４と浴槽フロア１０ａの内部との間を連通させる排出通路２５が形成されている。この排出通路２５の底部２５ａは、水流入部２４の底面部２４ａから浴槽フロア１０ａの内部側に向かって下り傾斜に形成されている。このため、水流入部２４内に水が入った場合には、その水は排出通路２５から浴槽フロア１０ａの内部に入り、排水口から排水路に排出される。
【００２２】
また、図４に示したように、洗い場フロア１０ｂの周壁部１４における浴槽フロア１０ａ側の壁部１４ａの上端縁部には、係合溝部２２と係合可能な係合縁部２６が形成されている。この係合縁部２６は、壁部１４ａの上端縁部から、前方（浴槽フロア１０ａ側）に突出して水平方向に延びた上端面部２６ａと、上端面部２６ａの縁部から下方に延びた係合側部２６ｂとで構成されており、壁部１４ａの上部と係合縁部２６とで下向きの溝部を形成している。
【００２３】
係合側部２６ｂの高さ方向の長さは、係合側部２２ｃの高さ方向の長さと略等しく設定されており、係合溝部２２と係合縁部２６とを組み付けたときに、係合側部２６ｂの下端縁部が溝底部２２ｂの上面に接し、係合側部２２ｃの上端縁部が上端面部２６ａの下面に接するように構成されている。また、周壁部１４における壁部１４ａ以外の部分の上端面部２７の外側縁部には、上方に向かって突出した係合片２８が周壁部１４の長手方向に沿って設けられている。この係合片２８は、洗い場フロア１０ｂの周囲に壁パネルを取り付けるときの壁パネル取付部として、或いは設置される壁パネルの外側に位置する水返しとして設けられている。
【００２４】
そして、図５に示したように、係合片２８の下端縁部における浴槽フロア１０ａ側の端部近傍部分に仕切り片２８ａが下方に向って形成されている。この仕切り片２８ａの幅は、水流入部２４内における側面部２４ｂ，２４ｃ間の長さの略半分の長さに設定されている。また、係合溝部２２と係合縁部２６とを組み付けたときに、仕切り片２８ａは、水流入部２４の底面部２４ａと側面部２４ｃの下部側部分とに接触して、水流入部２４内における洗い場フロア１０ｂ側の略半分を遮る。そして、係合片２８の端面は側面部２４ｂの上部側部分に接触し、係合片２８の外側面の所定部分は側面部２４ｃの側端面に接触した状態になる。
【００２５】
これによって、係合片２３，２８は同一面上で連なった状態になり、水流入部２４の上部における内部側部分は係合片２８によって遮られる。すなわち、水流入部２４の上部側部分の一側面部は係合片２８の一部によって構成される。また、接続部１７における図１の二点鎖線Ａで囲った部分と反対側の端部に設けられた接続構造２０の構成は、前述した接続構造２０と左右対称に形成されていること以外は同一である。したがって、その説明は省略する。
【００２６】
この構成において、浴槽フロア１０ａと洗い場フロア１０ｂとの接続は、つぎのようにして行われる。まず、フロア１０が設置される基台の所定部分に、浴槽フロア１０ａを設置し、支脚１３を操作することにより浴槽フロア１０ａの高さを調節する。ついで、壁部１１ａと壁部１４ａとを対向させた状態で、浴槽フロア１０ａの隣に洗い場フロア１０ｂを設置する。そして、支脚１６を操作することにより洗い場フロア１０ｂの高さを調節して浴槽フロア１０ａの高さに合わせるとともに、係合溝部２２と係合縁部２６とを係合させてフロア１０を形成する。この場合の浴槽フロア１０ａと洗い場フロア１０ｂとの接続は、ねじや取付金具等を用いて行う。また、必要に応じてシール材や接着剤等を使用することもできる。
【００２７】
これによって、図１に示したように、浴槽フロア１０ａと洗い場フロア１０ｂとの接続部分には、接続部１７が形成されるとともに、その両端部には、それぞれ図２に示した接続構造２０と、図２に示した接続構造２０と左右対称の接続構造２０とが形成される。また、フロア１０に、壁パネルを取り付ける場合には、上端面部２１，２７における係合片２３，２８の内側部分に、壁パネルの下端面を順次設置していく。この場合、フロア１０の角部等に支柱を設け、この支柱を介して壁パネルを取り付ける。そして、壁パネルの上端部に天井パネルを設置するとともに、組み立てられた浴室内に浴槽や水栓を取り付けるとともに、棚や鏡等を取り付ける。
【００２８】
このように構成された浴室で入浴する際に、使用する湯や水（以下、水と記す。）が洗い場フロア１０ｂの内部側に流れた場合には、その水は排水口１５に向かって流れ、排水口１５から排水路に排出される。また、万一、水が浴槽フロア１０ａの内部側に流れた場合には、その水は浴槽フロア１０ａの排水口に向かって流れ、排水口から排水路に排出される。さらに、水が、接続部１７の上端面部２１ａ，２６ａから係合溝部２２内に浸入した場合には、その水は係合溝部２２に沿って水流入部２４内に流れて行く。
【００２９】
そして、その水は水流入部２４から排出通路２５を通過して浴槽フロア１０ａ内に流れ排水口から排水路に排出される。また、水が、上端面部２１，２７の上面から係合片２３，２８間の隙間に浸入した場合にも、その水は水流入部２４内に流れて行く。そして、その水は水流入部２４から排出通路２５を通過して浴槽フロア１０ａ内に流れ排水口から排水路に排出される。
【００３０】
このように、本実施形態に係る接続構造２０では、浴槽フロア１０ａと洗い場フロア１０ｂとの接続部１７の端部に、水流入部２４を設けて、接続部１７の端部に流れてきて外部に出ようとする水を水流入部２４内に入れるようにしている。また、壁部１１ａに、排出通路２５を設けて水流入部２４内に入った水を浴槽フロア１０ａ内に排出するようにしている。さらに、浴槽フロア１０ａ内に排出された水を、浴槽フロア１０ａ内に設けられた排水口から排水路に流して外部に排出するようにしている。これによって、接続部１７の端部から外部に水が漏れてしまうといったことがなくなる。
【００３１】
また、前述した接続構造２０では、水流入部２４の底面部２４ａの高さを係合溝部２２の溝底部２２ｂの高さよりも低くするとともに、排出通路２５の底部２５ａを、水流入部２４の底面部２４ａから浴槽フロア１０ａの内部側に向かって下りになる傾斜面に形成している。このため、係合溝部２２内に浸入した水は、水流入部２４内に流れ落ち、水流入部２４内に入った水は、排出通路２５から浴槽フロア１０ａの内部に向ってスムーズに流れて行く。
【００３２】
また、接続部１７は、係合溝部２２と係合縁部２６とを重ね合わせるだけで構成できるため、特に防水構造にする必要がなくなる。これによって、係合溝部２２や係合縁部２６の設計が簡単になるとともにフロア１０の低コスト化が図れるようになる。さらに、前述した接続構造２０では、排出通路２５が浴槽フロア１０ａに設けられているため、浴槽等を設置した場合には、入浴者からは見えなくなる。このため、外観上好ましいものとなる。
【００３３】
（第２実施形態）
図６は、本発明の第２実施形態に係る接続構造３０を示している。この接続構造３０では、洗い場フロア３０ｂが備える係合片３８の外側面に、係合片３８と直交する遮蔽部３９が形成されている。この遮蔽部３９は、図７に示したように、仕切り片３８ａにおける係合片３８の端部側の縁部に沿って上下に設けられ、その上端部は係合片３８の上端縁部まで延びている。
【００３４】
この遮蔽部３９は、水流入部３４内における露出部分を平面視の状態で２分割できるように設定されている。このため、係合溝部３２と係合縁部３６とを組み付けたときに、仕切り片３８ａと遮蔽部３９とで水流入部３４内における外部洗い場フロア３０ｂ側部分の外部側角部を他の部分から遮蔽するようになる。この接続構造３０のそれ以外の部分の構成については、前述した接続構造２０と同一である。したがって、同一部分に同一符号を記している。
【００３５】
このように構成したため、水流入部３４内における係合片２３，３８の隙間側部分に水が入った場合に、その水は遮蔽部３９によって水流入部３４内における外部洗い場フロア３０ｂ側部分に浸入することを防止される。このため、水流入部３４内に入った水は、遮蔽部３９等の周囲の側壁部によって下方に向って落下するようにガイドされる。この結果、水が係合片３８と側面部２４ｃとの間の隙間から外部に漏れることが確実に防止される。この接続構造３０のそれ以外の作用効果につては、前述した接続構造２０と同様である。
【００３６】
（第３実施形態）
図８は、本発明の第３実施形態に係る接続構造４０を示している。この接続構造４０では、水流入部４４内における遮蔽部４９と側面部４４ｃとの間にシール材４９ａが充填されている。また、浴槽フロア４０ａと洗い場フロア４０ｂとの接合部である係合溝部４２の連結側部４２ａと係合縁部４６の係合側部４６ｂとの間および側面部４４ｂと係合片４８の端面との間にシール材４９ｂが取り付けられている。
【００３７】
また、壁部４１ａには、溝状の排出通路２５に代えて貫通孔からなる排出通路４５が設けられている。この排出通路４５は、係合溝部４２の溝底部４２ｂよりも低い位置に設けられてシール材４９ｂによって通路を遮断されないようになっている。また、この排出通路４５も水流入部４４側から浴槽フロア４０ａ側に向けて下り傾斜に形成されている。この接続構造４０のそれ以外の部分の構成については、前述した接続構造３０と同一である。したがって、同一部分に同一符号を記している。
【００３８】
このように構成したため、水流入部４４内に入った水は遮蔽部４９とシール材４９ａとによって水流入部４４内における外部洗い場フロア４０ｂ側部分に浸入することをさらに確実に防止される。このため、水が係合片４８と側面部４４ｃとの間の隙間から外部に漏れることがより確実に防止される。また、シール材４９ｂによって、係合溝部４２内や側面部４４ｂと係合片４８の端面との隙間から水流入部４４内に水が浸入することを防止される。これによって、さらに止水効果が増す。さらに、排出通路４５が表面に露呈しないため、外観上の見栄えがよくなる。この接続構造４０のそれ以外の作用効果につては、前述した接続構造３０と同様である。
【００３９】
（第４実施形態）
図９は、本発明の第４実施形態に係る接続構造５０を示している。この接続構造５０では、水流入部５４における側面部５４ｃの上部側部分の縁部に沿って係合片５８と平行する折り返し部５４ｄを設けて、その先端部を遮蔽部５９に接触させている。すなわち、この折り返し部５４ｄは、図１０に示したように、側面部５４ｃの上部側部分の縁部上端から底面部５４ａにかけて上下に延びている。そして、浴槽フロア５０ａと洗い場フロア５０ｂとを組み付けたときには、折り返し部５４ｄが係合片５８と遮蔽部５９とに接触して、側面部５４ｃと係合片５８との間の隙間に水が浸入しにくくなるようにしている。この接続構造５０のそれ以外の部分の構成については、前述した接続構造３０と同一である。したがって、同一部分に同一符号を記している。
【００４０】
このように構成したため、水流入部５４内に水が入っても、その水は遮蔽部５９によって、水流入部５４内における洗い場フロア５０ｂ側部分に浸入することを防止される。また、万一、水が水流入部５４内における洗い場フロア５０ｂ側部分に浸入しても、その水は折り返し部５４ｄによって側面部５４ｃと係合片５８との間の隙間に浸入することを防止され、外部に漏れることがなくなる。このため、水が係合片５８と側面部５４ｃとの間の隙間から外部に漏れることがより確実に防止される。この接続構造５０のそれ以外の作用効果につては、前述した接続構造３０と同様である。
【００４１】
また、本発明に係る分割フロアの接続構造は、前述した各実施形態に限るものでなく、適宜、変更実施が可能である。例えば、前述した各実施形態では、水流入部２４等や排出通路２５等を浴槽フロア５０ａ等に設けたが、これらは、洗い場フロア１０ｂ等に設けることもできる。また、水流入部２４等、係合溝部２２等および係合縁部２６等の形状や取り付け位置は、前述した実施形態に限らず、適宜設計変更することが可能である。また、前述した実施形態では、遮蔽部３９等、シール材４９ａおよび折り返し部５４ｄを水流入部３４等の底面部まで設けているが、これらは水流入部３４等の上部側部分だけに設けるようにしてもよい。
【００４２】
さらに、接続構造４０では、シール材４９ｂを、連結側部４２ａと係合側部４６ｂとの間および側面部４４ｂと係合片４８の端面との間に取り付けているが、このシール材４９ｂにおける側面部４４ｂと係合片４８の端面との間の部分は省略することができる。また、前述した実施形態では、複数の分割フロアを浴槽フロア１０ａ等と洗い場フロア１０ｂ等との２個の分割フロアで構成したが、本発明の接続構造は、３個以上の分割フロアで構成される床面で使用することもできる。また、本発明の接続構造は、浴室に限らず、水や湯が使用され漏れ防止が必要な床面を備えた室等であれば使用することができる。
【図面の簡単な説明】
【００４３】
【図１】本発明の第１実施形態に係る分割フロアの接続構造を備えたフロアを示す斜視図である。
【図２】浴槽フロアと洗い場フロアとの接続構造の要部を示す斜視図である。
【図３】図２に示した接続構造の要部における浴槽フロア側部分を示す斜視図である。
【図４】図２に示した接続構造の要部における洗い場フロア側部分を示す斜視図である。
【図５】図４に示した洗い場フロアに形成された仕切り片を示す斜視図である。
【図６】本発明の第２実施形態に係る分割フロアの接続構造の要部を示す斜視図である。
【図７】図６に示した接続構造の要部における洗い場フロア側部分を示す斜視図である。
【図８】本発明の第３実施形態に係る分割フロアの接続構造の要部を示す斜視図である。
【図９】本発明の第４実施形態に係る分割フロアの接続構造の要部を示す斜視図である。
【図１０】図９に示した接続構造の要部における浴槽フロア側部分を示す斜視図である。
【符号の説明】
【００４４】
１０…フロア、１０ａ，４０ａ，５０ａ…浴槽フロア、１０ｂ，３０ｂ，４０ｂ，５０ｂ…洗い場フロア、１１，１４…周壁部、１１ａ，１４ａ，４１ａ…壁部、１５…排水口、１７…接続部、２０，３０，４０，５０…接続構造、２１，２１ａ，２６ａ，２７…上端面部、２２，３２，４２…係合溝部、２２ａ，４２ａ…連結側部、２２ｂ…溝底部、２２ｃ…係合側部、２４，３４，４４，５４…水流入部、２４ａ，５４ａ…底面部、２４ｂ，２４ｃ，４４ｂ，４４ｃ，５４ｃ…側面部、２５，４５…排出通路、２５ａ…底部、２６，３６，４６…係合縁部、２６ｂ，４６ｂ…係合側部、３９，４９，５９…遮蔽部、４９ａ，４９ｂ…シール材、５４ｄ…折り返し部
【図１】
2005299131.tif 000003
【図２】
2005299131.tif 000004
【図３】
2005299131.tif 000005
【図４】
2005299131.tif 000006
【図５】
2005299131.tif 000007
【図６】
2005299131.tif 000008
【図７】
2005299131.tif 000009
【図８】
2005299131.tif 000010
【図９】
2005299131.tif 000011
【図１０】
2005299131.tif 000012